(57)【要約】【課題】エスカレータおよび動く歩道のハンドレール用の殺菌消毒液噴射装置を提供すること。【解決手段】本発明はエスカレータのハンドレール用の殺菌消毒液噴射装置に係り、さらに詳しくは、移動するハンドレールと密着できるように本体を形成するが、前記本体の内部は消毒液を保管および貯留可能なタンクを収容し、前記タンクに貯留される消毒液はタンクと一体に連結されているポンプの作動により発生する圧力によってチューブの内部に排出されるとともに、前記チューブに排出される消毒液は本体の上カバーに凹設されている排出溝に載置されるスポンジに直ちに供給されながら移動するハンドレールの表面につくようにすることにより殺菌および消毒を同時に行えるように構成されるエスカレータのハンドレール用の殺菌消毒液噴射装置に関する。【選択図】図２
2011162352.tif 000002
【特許請求の範囲】
【請求項１】
ハンドレール（１１）と密着できるように本体（１２）を形成するが、
前記本体（１２）の前面にはホールセンサー（２５）、ポンプ（１９）、フロートセンサー（２０）を全体的に連動可能なＰＣＢ制御部（１８）を形成し、
前記本体（１２）の内部空間部（１６）には消毒液を保管および貯留可能なタンク（１７）が収容され、
前記タンク（１７）の一方の側には水位を感知するフロートセンサー（２０）を固定するための孔（２７）を穿設し、
前記タンク（１７）に貯留される消毒液はタンク（１７）と一体に連結されているポンプ（１９）の作動により発生する圧力によってチューブ（２１）の内部に排出されるとともに、前記チューブ（２１）に排出される消毒液は本体（１２）の上カバー（１３）に凹設されている排出溝（１４）に載置されるスポンジ（１５）とブラシ（３８）に直ちに供給されながら移動するハンドレール（１１）の表面に幅広く散布されてつくようにすることにより殺菌および消毒を同時に行えるように構成することを特徴とするエスカレータおよび動く歩道のハンドレール用の殺菌消毒液噴射装置。
【請求項２】
前記タンク（１７）の内部に満たされる消毒液の水位はフロートセンサー（２０）により感知されるとともに、前記感知信号はＰＣＢ制御部（１８）と連動されるポンプ（１９）を制御できるように構成され、かつ、排出溝（１４）の下部にはホールセンサー（２５）を取り付けて移動するハンドレール（１１）を感知できるように構成することを特徴とする請求項１に記載のエスカレータおよび動く歩道のハンドレール用の殺菌消毒液噴射装置。
【請求項３】
前記本体（１２）の下部の一方の側には高さを調節可能な調節レバー（２６）を形成するが、
前記調節レバー（２６）は本体（１２）の高さを調節するために形成される受け台（２８）および支持プレート（２９）と組み立てられるとともに、前記受け台（２８）および支持プレート（２９）の部分はボルト（３２）および固定ボルト（３４）との組み立てにより一体に固定され、
前記ボルト（３２）および固定ボルト（３４）は支持プレート（２９）の締付孔（３５）および受け台（２８）の締付孔（３６）に嵌合された後、本体（１２）の下側に収容されるインサートナット（３３、３７）とさらに組み立てられて固定できるように構成することを特徴とする請求項１に記載のエスカレータおよび動く歩道のハンドレール用の殺菌消毒液噴射装置。
【請求項４】
前記調節レバー（２６）に形成されるボルト（３２）は、固定孔（３０、３１）を貫通した後、インサートナット（３３）と受け台（２８）に穿設されている固定孔（３１）に嵌まり込むとともに、本体（１２）の下側に固定されて上下方向に作動されながら本体（１２）の水平を調節できるように構成することを特徴とする請求項３に記載のエスカレータおよび動く歩道のハンドレール用の殺菌消毒液噴射装置。
【発明の詳細な説明】
【技術分野】
【０００１】
本発明はエスカレータのハンドレール用の殺菌消毒液噴射装置に係り、さらに詳しくは、移動するハンドレールと密着できるように本体を形成するが、前記本体の内部は消毒液を保管および貯留可能なタンクを収容し、前記タンクに貯留される消毒液はタンクと一体に連結されているポンプの作動により発生する圧力によってチューブの内部に排出されるとともに、前記チューブに排出される消毒液は本体の上カバーに凹設されている排出溝に載置されるスポンジに直ちに供給されながら移動するハンドレールの表面につくようにすることにより殺菌および消毒を同時に行えるように構成されるエスカレータのハンドレール用の殺菌消毒液噴射装置に関する。
【背景技術】
【０００２】
一般に、エスカレータおよび動く歩道はコンベヤの一種であり、動力により回転する階段を駆動して人間を連続して昇降させる装置である。
【０００３】
また、前記エスカレータおよび動く歩道は、駆動装置により動く移動足載台と、移動足載台の左右に設けられて乗客の取っ手の役割を果たすハンドレールと、移動足載台の左右に設けられて乗客の墜落を防止し、かつ、ハンドレールを支持する手摺などにより構成されている。
【０００４】
このため、エスカレータおよび動く歩道のハンドレールは大勢の人々の手に露出されており、かつ、大勢のユーザーの手と直ちに接触するため各種の細菌に露出されているともいえる。
【０００５】
すなわち、エスカレータおよび動く歩道に乗って移動する乗客が直接的にハンドルベルトを握って移動するため、前記ハンドルベルトの表面は各種の細菌に露出されながら汚れてしまう恐れがあるという不都合がある。
【０００６】
そして、このような不都合を解消するために、作業者は、手作業によりまたは別途の機械（装置）を用いてハンドレールを払拭することになる。
【０００７】
一方、エスカレータおよび動く歩道のハンドレールを洗浄するための従来の装置としては、例えば、下記の特許文献１に開示の「エスカレータのハンドレールのクリーニング装置」および特許文献２に開示の「エスカレータのハンドレール洗浄装置」が挙げられる。
【０００８】
しかしながら、従来の製品はその構造が複雑であるため現場に設置するには無理があり、かつ、メンテナンスに多くの難点があるため現実的には採用し得ないという不都合がある。
【先行技術文献】
【特許文献】
【０００９】
【特許文献１】大韓民国特許出願第１０−２００４−００８９１１５号公報
【特許文献２】大韓民国実用新案出願第２０−２００５−００２３９４１号公報
【発明の概要】
【発明が解決しようとする課題】
【００１０】
本発明は上記事情に鑑みてなされたものであり、その目的は、エスカレータおよび動く歩道のハンドレールが作動する間に持続的に汚染物質を消毒処理することにより衛生的にハンドレールを使用できるようにし、かつ、自動的に洗浄抗菌処理することによりメンテナンス費用を大幅に削減できるように構成されるエスカレータおよび動く歩道のハンドレール用の殺菌消毒液噴射装置に提供するところにある。
【課題を解決するための手段】
【００１１】
上記の目的を達成するために、本発明は、移動するハンドレールと密着できるように本体を形成するが、前記本体の内部には消毒液を保管および貯留可能なタンクを収容し、前記タンクに貯留される消毒液はタンクと一体に連結されているポンプの作動により発生する圧力によってチューブの内部に排出されるとともに、前記チューブに排出される消毒液は本体の上カバーに凹設されている排出溝に載置されるスポンジに直ちに供給されながら移動するハンドレールの表面につくようにすることにより殺菌および消毒を同時に行えるように構成されるエスカレータのハンドレール用の殺菌消毒液噴射装置を提供する。
【発明の効果】
【００１２】
本発明に係るエスカレータおよび動く歩道のハンドレール用の殺菌消毒液噴射装置によれば、ハンドレールが作動する間に持続的に消毒液を噴射して汚染物質を払拭することにより一層衛生的にハンドレールを使用することが可能になる。
【００１３】
また、本発明は、エスカレータおよび動く歩道に簡単に設置して使用することができることから、メンテナンスし易く、しかも、メンテナンス費用を極力抑えることが可能になる。
【図面の簡単な説明】
【００１４】
【図１】本発明に係るエスカレータおよび動く歩道のハンドレール用の殺菌消毒液噴射装置の要部が組み立てられた状態の斜視図。
【図２】本発明に係るエスカレータおよび動く歩道のハンドレール用の殺菌消毒液噴射装置の要部が組み立てられた状態の分解斜視図。
【図３】本発明に係るエスカレータおよび動く歩道のハンドレール用の殺菌消毒液噴射装置の要部を一部拡大した状態の斜視図。
【図４】本発明に係るエスカレータおよび動く歩道のハンドレール用の殺菌消毒液噴射装置の使用状態を概略的に示す正面図。
【発明を実施するための形態】
【００１５】
以下、添付図面に基づき、本発明が属する技術分野において通常の知識を持った者が容易に実施できるように本発明の実施形態を詳述する。しかしながら、本発明は種々の異なる形で実現可能であり、ここで説明する実施形態に限定されるものではない。
【００１６】
また、図中、本発明を明確に説明するために、説明とは無関係な部分は省略し、明細書の全般に亘って類似する個所に対しては類似する図面符号を付している。
【００１７】
明細書の全般に亘って、ある部分がある構成要素を含むとするとき、これは、特に断わりのない限り、他の構成要素を制御するのではなく、他の構成要素をさらに含みうるということを意味する。
【００１８】
図１は、本発明に係るエスカレータおよび動く歩道のハンドレール用の殺菌消毒液噴射装置の要部が組み立てられた状態の斜視図であり、図２は、本発明に係るエスカレータおよび動く歩道のハンドレール用の殺菌消毒液噴射装置の要部が組み立てられた状態の分解斜視図であり、図３は、本発明に係るエスカレータおよび動く歩道のハンドレール用の殺菌消毒液噴射装置の要部を抜粋して拡大した状態の斜視図であり、図４は、本発明に係るエスカレータおよび動く歩道のハンドレール用の殺菌消毒液噴射装置の使用状態を概略的に示す正面図である。
【００１９】
先ず、本発明においては、図１、図２、および図４に示すように、ハンドレール１１と密着できるように本体１２を形成する。
【００２０】
そして、本体１０の内部空間部１６には消毒液を保管および貯留可能なタンク１７が収容され、前記タンク１７に貯留される消毒液はタンク１７と一体に連結されているポンプ１９の作動により発生する圧力によってチューブ２１の内部を通って外部に排出される。
【００２１】
一方、前記タンク１７の一方の側にはタンク内部の水位を感知するためのフロートセンサー２０を固定するための孔２７を穿設する。
【００２２】
さらに、タンク１７の一方の側に形成されている排出口２２にポンプ１９の連結口２３の部分が組み付けられ、そして、ポンプ１９の一方の側に形成されている吐出管２３には前記チューブ２１が一体に嵌め込まれているままである。
【００２３】
ここで、タンク１７に組み付けられるフロートセンサー２０はタンク１７の内部の水位を感知し、前記感知される信号はＰＣＢ制御部１８により作動可能である。
【００２４】
ここで、タンク１７の内部に満たされる消毒液はフロートセンサー２０により感知されるとともに、前記感知信号はＰＣＢ制御部１８と連動されるポンプ１９を作動できるように構成され、かつ、排出溝１４の下部にはホールセンサー２５を取り付けて移動するハンドレール１１を感知できるようにしている。
【００２５】
ここで、ホールセンサー２５により感知される信号はＰＣＢ制御部１８の回路に渡されて自動的に制御できるようになっている。
【００２６】
一方、チューブ２１に排出される消毒液は本体１２の上カバー１３に凹設されている排出溝１４に載置されるスポンジ１５に散布されながら移動するハンドレール１１の表面に直ちにつくようになっている。
【００２７】
このとき、図１および図２に示すように、排出溝１４に載置されるスポンジ１５の一方の側にはブラシ３８が形成され、前記ブラシ３８は塗布液をハンドレール１１の表面に展延する機能をする。
【００２８】
また、ポンプ１９はＰＣＢ制御部１８に入力されている作動時間に見合う分だけ電源が供給されて作動するとともに、所定の圧力を生じさせて、タンク１７に連通されているチューブ２１の内部に消毒液を持続的に供給することができる。
【００２９】
そして、本体１２の下部の一方の側には高さを調節可能な調節レバー２６を形成して本体１２の水平を調節できるようにしている。
【００３０】
ここで、本体１２の高さを調節するために、受け台２８および支持プレート２９は積み重ね自在に構成しており、このとき、本体１２と前記受け台２８および支持プレート２９の部分は、図１および図２に示すように、ボルト３２および固定ボルト３４との組み立てにより一体に固定可能である。
【００３１】
ここで、支持プレート２９の締付孔３５および受け台２８の締付孔３６には前記固定ボルト３４が嵌合された後、本体１２の下側に収容されるインサートナット３７とさらに組み立てられて固定されるようになっている。
【００３２】
ここで、調節レバー２６に形成されるボルト３２の部分は、固定孔３０、３１を貫通するとともに、インサートナット３３と組み立てられる。このとき、インサートナット３３は、受け台２８に穿設されている固定孔３１に嵌合されながら本体１２の下側に固定されるようになっている。
【００３３】
このとき、調節レバー２６と一体に形成されるボルト３２は、ユーザーが上下方向に作動することにより本体１２の水平が取られるようになっている。
【００３４】
すなわち、このような方法により、本体１２の下側に受け台２８および支持プレート２９の部分を積み重ねて高さを調節するようになっている。
【００３５】
ここで、現場に設置されるハンドレール１１の高さに応じて、積み重ねられる受け台２８の数は調節可能になるということは言うまでもない。
【００３６】
以上のように、タンク１７の内部に満たされた消毒液はポンプ１９の作動により吐き出されながらチューブ２１を介してスポンジ１５に自動的に供給可能になり、かつ、前記スポンジ１５を介して排出される消毒液はブラシ３８を介してハンドレール１１の表面に幅広く展延するのである。
【００３７】
このため、スポンジ１５とブラシ３８を介して排出される消毒液は移動するハンドレール１１の部分を完璧に消毒しながら異物と病原菌を取り除くことができる。
【００３８】
以下、以上のような構成を有する本発明の作用を詳述する。
【００３９】
先ず、ＰＣＢ制御部１８は、ホールセンサー２５、ポンプ１９、フロートセンサー２０の作動を全体的に自動的に連動可能なプログラムを内蔵しており、かつ、ポンプ１９の作動および停止時間を制御する。
【００４０】
そして、タンク１７の内部にはフロートセンサー２０を固定してタンク１７の内部の消毒液の水位を感知できるようになっており、かつ、ホールセンサー２５の部分は移動するハンドレール１１を感知できるようになっている。
【００４１】
さらに、ポンプ１９に連通されているチューブ２１の先端はカバー１３の上側に載置されるスポンジ１５と連結されて、ポンプ１９から供給される消毒液が前記スポンジ１５の内部に供給できるようにしている。
【００４２】
ここで、スポンジ１５の内部はチューブ２１の内部を介して供給される消毒液により濡らされるため、前記スポンジ１５を通過するハンドレール１１の表面に直ちに付着することになり、ブラシ３８を用いて幅広く展延させる。
【００４３】
このため、ハンドレール１１が作動する間に持続的に消毒液を噴射して汚染物質を払拭することにより、一層衛生的にハンドレール１１を使用することが可能になるという特徴がある。
【００４４】
さらに、現場に設置されるハンドレール１１の高さに応じて、受け台２８および支持プレート２９を本体１２の下側に積み重ねて固定するため、現場の状況に合わせて設置し易くなる。
【００４５】
このため、本発明によれば、エスカレータおよび動く歩道に手軽に設置して使用することができることから、メンテナンスが簡単であり、しかも、メンテナンス費用を極力抑えることができるという経済的な効果がある。
【００４６】
上述した本発明の説明は単なる例示的なものであり、本発明が属する技術分野における通常の知識を持った者は本発明の技術的思想や必須的な特徴を変更することなく他の具体的な形態に容易に変形可能であるということは理解できるであろう。
【００４７】
よって、上述した実施形態はあらゆる面で例示的なものであり、限定的なものではないとして理解すべきである。例えば、単一のものとして説明されている各構成要素は分散された形で実施可能であり、同様に、分散されたものとして説明されている構成要素も結合された形で実施可能である。
【００４８】
本発明の範囲は上述した説明よりは特許請求の範囲によって開示され、請求範囲の意味および範囲、並びにその等価概念から導き出されるあらゆる変更または変形された形態が本発明の範囲に含まれるものとして解釈されるべきである。
【符号の説明】
【００４９】
１０・・・エスカレータ、
１１・・・ハンドレール、
１２・・・本体、
１３・・・カバー、
１４・・・排出溝、
１５・・・スポンジ、
１６・・・空間部、
１７・・・タンク、
１８・・・ＰＣＢ制御部、
１９・・・ポンプ、
２０・・・フロートセンサー、
２１・・・チューブ、
２２・・・排出口、
２３・・・連結口、
２４・・・吐出管、
２５・・・ホールセンサー、
２６・・・調節レバー、
２７・・・孔、
２８・・・受け台、
２９・・・支持プレート、
３０、３１・・・固定孔、
３２・・・ボルト、
３３・・・インサートナット、
３４・・・固定ボルト、
３５、３６・・・締付孔、
３７・・・インサートナット、
３８・・・ブラシ、
【図１】
2011162352.tif 000003
【図２】
2011162352.tif 000004
【図３】
2011162352.tif 000005
【図４】
2011162352.tif 000006